(57)【要約】  受信器は、同期化信号を供給する同期生成器を備え、同期生成器は少なくとも２つの動作モードを備え、第１の動作モードでは、同期生成器はチャネル仮想中心信号の関数として同期化信号を生成し、第２の動作モードでは、デュアルモード同期生成器は相関信号の関数として同期化信号を生成する。
2007537676.tif 000002
【特許請求の範囲】
【請求項１】
受信器であって、
同期化信号を供給する同期生成器を備え、
前記同期生成器が少なくとも２つの動作モードを備え、第１の動作モードでは、前記同期生成器はチャネル仮想中心信号の関数として前記同期化信号を生成し、第２の動作モードでは、前記同期生成器は相関信号の関数として前記同期化信号を生成することを特徴とする受信器。
【請求項２】
請求項１記載の受信器であって、前記同期化信号が、ＡＴＳＣ−ＤＴＶ（高度テレビジョン方式委員会‐ディジタル・テレビジョン）セグメント同期信号であることを特徴とする受信器。
【請求項３】
請求項１記載の受信器であって、前記同期化信号が、ＡＴＳＣ−ＤＴＶ（高度テレビジョン方式委員会‐ディジタル・テレビジョン）フレーム同期信号であることを特徴とする受信器。
【請求項４】
請求項１記載の受信器であって、
復調信号に応じ、前記チャネル仮想中心信号及び前記相関信号を供給するセントロイド算出器を更に備えることを特徴とする受信器。
【請求項５】
請求項１記載の受信器であって、
復調信号に応じ、復調信号と、前記同期化信号を表すデータ・パターンとの間の相関を表す前記相関信号を供給する相関器を更に備えることを特徴とする受信器。
【請求項６】
請求項１記載の受信器であって、
復調信号内で伝えられるデータ・パターンの関数として前記チャネル仮想中心信号を供給するセントロイド算出ループを更に備え、前記データ・パターンが前記同期化信号を表すことを特徴とする受信器。
【請求項７】
請求項１の受信器であって、前記同期生成器は、前記チャネル仮想中心信号の値と、前記相関信号の関数である値との間の差の関数として前記同期化信号を生成することを特徴とする受信器。
【請求項８】
請求項１記載の受信器であって、前記同期生成器は、ロック信号の関数として前記同期化信号を生成し、前記ロック信号は、等化器、別の受信器ブロック、又はマイクロプロセッサによって制御されるプログラム可能なビット・レジスタの値のうちの少なくとも１つのロック・ステータスを表すことを特徴とする受信器。
【請求項９】
請求項１記載の受信器であって、前記同期生成器は、時間間隔ΔＴ内に生起するロック信号の関数として前記同期化信号を生成し、前記ロック信号は、等化器、別の受信器ブロック、又はマイクロプロセッサによって制御されるプログラム可能なビット・レジスタの値のうちの少なくとも１つのロック・ステータスを表すことを特徴とする受信器。
【請求項１０】
請求項１記載の受信器であって、
前記チャネル仮想中心信号の値と、前記相関信号の関数である値との間の差、
ロック信号、
相関算出が完了する時点を示すピーク算出フラグ、又は、
チャネル仮想中心算出が完了する時点を示すセントロイド算出フラグ
のうちの少なくとも１つの関数として前記同期生成器モードを設定する判定装置を更に備えることを特徴とする受信器。
【請求項１１】
請求項１記載の受信器であって、
前記同期生成器モード、
前記チャネル仮想中心信号の値と前記相関信号の関数である値との間の差、
ロック信号、
相関算出が完了する時点を示すピーク算出フラグ、又は、
チャネル仮想中心算出が完了する時点を示すセントロイド算出フラグ
のうちの少なくとも１つの関数としてステータス信号を供給する判定装置を更に備えることを特徴とする受信器。
【請求項１２】
受信器において用いる方法であって、
同期化信号を第１のモードにおいてチャネル仮想中心信号の関数として供給する工程と、
前記同期化信号を第２のモードにおいて相関信号の関数として供給する工程とを備えることを特徴とする方法。
【請求項１３】
請求項１２記載の方法であって、前記同期化信号が、ＡＴＳＣ−ＤＴＶ（高度テレビジョン方式委員会‐ディジタル・テレビジョン）セグメント同期信号であることを特徴とする方法。
【請求項１４】
請求項１２記載の方法であって、前記同期化信号が、ＡＴＳＣ−ＤＴＶ（高度テレビジョン方式委員会‐ディジタル・テレビジョン）フレーム同期信号であることを特徴とする方法。
【請求項１５】
請求項１２記載の方法であって、
復調信号を処理して前記チャネル仮想中心信号及び前記相関信号を供給する工程を更に備えることを特徴とする方法。
【請求項１６】
請求項１２記載の方法であって、
復調信号と、前記同期化信号を表すデータ・パターンとの間の相関を表す前記相関信号を供給する工程を更に備えることを特徴とする方法。
【請求項１７】
請求項１２記載の方法であって、
復調信号内で伝えられるデータ・パターンの関数として前記チャネル仮想中心信号を供給する工程を更に備え、前記データ・パターンが前記同期化信号を表すことを特徴とする方法。
【請求項１８】
請求項１２の方法であって、
前記チャネル仮想中心信号の値と、前記相関信号の関数である値との間の差の関数として前記同期化信号を供給する工程を更に備えることを特徴とする方法。
【請求項１９】
請求項１２記載の方法であって、
ロック信号の関数として前記同期化信号を供給する工程を更に備え、前記ロック信号は、等化器、別の受信器ブロック、又はマイクロプロセッサによって制御されるプログラム可能なビット・レジスタの値のうちの少なくとも１つのロック・ステータスを表すことを特徴とする方法。
【請求項２０】
請求項１２記載の方法であって、
時間間隔ΔＴ内に生起するロック信号の関数として前記同期化信号を供給する工程を更に備え、前記ロック信号は、等化器、別の受信器ブロック、又はマイクロプロセッサによって制御されるプログラム可能なビット・レジスタの値のうちの少なくとも１つのロック・ステータスを表すことを特徴とする方法。
【請求項２１】
請求項１２記載の方法であって、
前記チャネル仮想中心信号の値と、前記相関信号の関数である値との間の差、
ロック信号、
相関算出が完了する時点を示すピーク算出フラグ、又は、
チャネル仮想中心算出が完了する時点を示すセントロイド算出フラグのうちの少なくとも１つの関数として前記同期生成器モードを設定する工程を更に備えることを特徴とする方法。
【請求項２２】
請求項１２記載の方法であって、
前記同期生成器モード、
前記チャネル仮想中心信号の値と前記相関信号の関数である値との間の差、
ロック信号、
相関算出が完了する時点を示すピーク算出フラグ、又は、
チャネル仮想中心算出が完了する時点を示すセントロイド算出フラグのうちの少なくとも１つの関数としてステータス信号を供給する工程を更に備えることを特徴とする方法。
【発明の詳細な説明】
【技術分野】
【０００１】
本発明は一般に通信システムに関し、特に受信器に関する。
【背景技術】
【０００２】
ＡＴＳＣ−ＤＴＶ（米国高度テレビジョン方式委員会・ディジタル・テレビジョン）システム（例えば、Ｕｎｉｔｅｄ  Ｓｔａｔｅｓ  Ａｄｖａｎｃｅｄ  Ｔｅｌｅｖｉｓｉｏｎ  Ｓｙｓｔｅｍｓ  Ｃｏｍｍｉｔｔｅｅ，  「ＡＴＳＣ  Ｄｉｇｉｔａｌ  Ｔｅｌｅｖｉｓｉｏｎ  Ｓｔａｎｄａｒｄ」，  Ｄｏｃｕｍｅｎｔ  Ａ／５３，  Ｓｅｐｔｅｍｂｅｒ  １６，  １９９５、及び「Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ」，  Ｄｏｃｕｍｅｎｔ  Ａ／５４，  Ｏｃｔｏｂｅｒ  ４，  １９９５参照。）のような、現代のディジタル通信システムでは、高度変調、チャネル符号化及び等化が通常、施される。受信器では、復調器は一般にキャリア位相及び／又はシンボル・タイミングの不定性を有する。等化器は一般に、ＤＦＥ（判定帰還等化器）タイプ又はその特定の変形であり、有限長を有する。激しく歪んだチャネルでは、信号を首尾良く処理し、歪みを補正する最良の機会を等化器に与えるうえでチャネル・インパルス応答の仮想中心が分かることが重要である。一手法は、セグメント同期化（同期）信号に基づいて適応型等化器のチャネル仮想中心を算出するセントロイド算出器を用いるものである。別の手法は、フレーム同期信号に基づいて適応型等化器のチャネル仮想中心を算出するセントロイド算出器を用いるものである。
【発明の開示】
【発明が解決しようとする課題】
【０００３】
チャネル仮想中心が判定されると、セグメント同期信号やフレーム同期信号などの参照信号を、仮想中心で整列させるよう受信器内で局所に再生成させる。その結果、等化データ出力が仮想中心で整列することになるようにチャネルを等化するよう等化器内でタップが増えることになる。
【０００４】
セントロイド算出器を用いる以外に、セグメント同期信号及び／又はフィールド同期信号の再生成に対する他の既知の手法は、相関のみを用いることに基づいている。例えば、セグメント同期信号の場合、受信器は、受信された復調信号を４シンボル・セグメント同期パターンに互いに関係付ける相関器を含む。受信器は次いで、受信された復調信号におけるセグメント同期パターンの相関器によって検出されるとセグメント同期信号を再生成する。
【課題を解決するための手段】
【０００５】
本発明の原理によれば、受信器は、同期化信号を供給する同期生成器を備え、同期生成器は少なくとも２つの動作モードを備え、第１の動作モードでは、同期生成器はチャネル仮想中心信号の関数として同期化信号を生成し、第２の動作モードでは、デュアルモード同期生成器は相関信号の関数として同期化信号を生成する。
【０００６】
本発明の実施例では、ＡＴＳＣ受信器は、復調器と、セントロイド算出器と、デュアルモード同期生成器とを備える。復調器は、受信されたＡＴＳＣ―ＤＴＶ信号を復調し、復調された信号を供給する。セントロイド算出器は、セグメント同期信号に基づいて復調ＡＴＳＣ−ＤＴＶ信号を処理し、チャネル仮想中心信号及び相関信号をデュアルモード同期生成器に供給する。デュアルモード同期生成器は少なくとも２つの動作モードを有し、第１の動作モードでは、デュアルモード同期生成器はチャネル仮想中心信号の関数としてセグメント同期信号を生成し、第２の動作モードでは、デュアルモード同期生成器は相関信号の関数としてセグメント同期信号を生成する。
【発明を実施するための最良の形態】
【０００７】
本発明の概念以外には、添付図面に示すエレメントは周知であり、詳細に説明しない。更に、テレビジョン放送及び受信器をよく知っていることを前提とし、本明細書では詳細に説明しない。例えば、本発明の概念以外では、ＴＶ標準（ＮＴＳＣ（米国テレビジョン方式委員会）、ＰＡＬ（位相反転走査線）、ＳＥＣＡＭ（順次式カラー・メモリ）及びＡＴＳＣ（高度テレビジョン方式委員会）（ＡＴＳＣ）の現在の勧告、及び提案されている勧告をよく知っていることを前提とする。同様に、本発明の概念以外では、送信の概念（８値残留側波帯（８−ＶＳＢ）、直交振幅変調（ＱＡＭ）など）と、受信器構成部分（無線周波数（ＲＦ）フロントエンドなど）、又は受信器部（低雑音ブロック、チューナ、復調器、相関器、漏れ積分器、及び二乗器など）とを前提とする。同様に、伝送ビット・ストリームを生成するフォーマッティング及び符号化の方法（動画像専門家グループ（ＭＰＥＧ）−２方式標準（ＩＳＯ／ＩＥＣ（１３８１８−１））は周知であり、本明細書では説明しない。更に、本発明の概念は、そういうものとして本明細書では説明しない通常のプログラミング手法を用いて実施することができる。最後に、添付図面上の同じ符号は同様なエレメントを表す。
【実施例】
【０００８】
本発明の概念を説明する前に、ＡＴＳＣ−ＤＴＶシステムに用いるセントロイド算出器１００の構成図を図１に示す。セントロイド算出器１００は、相関器１０５、漏れ積分器１１０、二乗器１１５、ピーク・サ―チ・エレメント１２０、乗算器１２５、第１の積分器１３０、第２の積分器１３５及び位相検出器１４０を備える。セントロイド算出器１００は、セグメント同期信号と、シンボル毎１サンプルと、同相（実）成分のみを備えるデータ入力信号１０１−１とに基づいている。データ入力信号１０１−１は、復調器（図示せず）によって供給される復調された受信ＡＴＳＣ−ＤＴＶ信号を表す。
【０００９】
データ入力信号１０１−１は、その中のセグメント同期信号（又はパターン）を検出する相関器１０５（又はセグメント同期検出器１０５）に印加される。セグメント同期信号は反復パターンを有し、隣接する２つのセグメント同期信号間の距離は幾分大きい（８３２シンボル）。そういうものとして、セグメント同期信号は、チャネル・インパルス応答を推定するのに用いることが可能であり、チャネル・インパルス応答は同様に、チャネル仮想中心すなわちセントロイドを推定するのに用いる。セグメント同期検出器１０５は、ＡＴＳＣ−ＤＴＶセグメント同期、すなわち、２進表現における［１  ０  ０  １］、又はＶＳＢシンボル表現における［＋５  −５  −５  ＋５］の特性に対してデータ入力信号１０１−１を互いに関係付ける。セグメント同期検出器１０５からの出力信号が、漏れ積分器１１０に次いで印加される。漏れ積分器は、８３２シンボル長を有し、これは、一セグメントにおけるシンボル数に等しい。ＶＳＢデータはランダムであるので、データ・シンボル位置での積分器値はゼロに向けて平均化されることになる。しかし、４つのセグメント同期シンボルは８３２シンボル毎に繰り返されるので、セグメント同期位置での積分器値は信号強度に比例して増えることになる。チャネル・インパルス応答がマルチパス又はゴーストをもたらす場合、セグメント同期シンボルは、そのマルチパス遅延位置に現れることになる。その結果、マルチパス遅延位置での積分器値も、ゴースト振幅に比例して増えることになる。漏れ積分器は、ピーク・サーチが行われた後、積分器が新たな数を加算する都度、定数を減算する。これは、ハードウェア・オーバフローを避けるために行われる。８３２個の漏れ積分器値は、積分器１１５によって二乗される。結果として生じる出力信号、又は相関器信号１１６は、ピーク・サーチ・エレメント１２０及び乗算器１２５に送られる（なお、二乗の代わりに、エレメント１１５はその入力信号の絶対値を供給することができる）。
【００１０】
各漏れ積分器値（相関器信号１１６）がピーク・サーチ・エレメント１２０に入力されると、相当するシンボル・インデックス値（シンボル・インデックス１１９）もピーク・サーチ・エレメント１２０に入力される。シンボル・インデックス１１９は、元々ゼロにリセットすることができ、０から８３１までのパターンを繰り返して、新たな漏れ積分器値毎に１、増やされる。ピーク・サーチ・エレメント１２０は、二乗された８３２個の積分器値（相関器信号１１６）にわたってピーク・サーチを行い、ピーク信号１２１を供給する。ピーク信号は、８３２個の二乗積分器値のうちの最大値に関連したシンボル・インデックスに相当する。ピーク信号１２１は、チャネルの初期中心として用いられ、第２の積分器１３５（以下に説明する）に入力される。
【００１１】
漏れ積分器値（相関器信号１１６）も、現行シンボル・インデックスから初期中心までの相対距離によっても重み付けされ、重み付けされた中心位置は次いで、帰還ループ又はセントロイド算出ループによって判定される。セントロイド算出ループは、位相検出器１４０、乗算器１２５、第１の積分器１３０及び第２の積分器１３５を備える。この帰還ループは、ピーク・サーチが行われた後に始まり、第２の積分器１３５は初期中心又はピーク値によって初期化される。位相検出器１４０は、現行シンボル・インデックス（シンボル・インデックス１１９）と仮想中心値１３６との間の距離（信号１４１）を算出する。重み付けされた値１２６は、乗算器１２５を介して算出され、第１の積分器１３０に供給され、第１の積分器１３０は、８３２個のシンボル群毎に、重み付けされた値を累算する。前述のように、第２の積分器１３５は当初、ピーク値に設定され、次いで、第１の積分器１３０の出力を累算して仮想中心値又はセントロイド１３６を作成するよう進む。図１における積分器は全て、暗黙的なスケーリング係数を有する。
【００１２】
仮想中心値１３６が判定されると、セグメント同期やフレーム同期信号などのＶＳＢ参照信号が、仮想中心で整列するよう受信器において局所で再生成される。その結果、等化データ出力が仮想中心で整列されることになるようにチャネルを等化させるようタップが等化器において増えることになる。図２は、仮想中心に基づいたセグメント同期再生成を示す構成図である。特に、セグメント同期生成器１６０は前述の仮想中心値１３６及びシンボル・インデックス１１９をセントロイド算出器１００から受信し、それに応じてセグメント同期信号１６１を供給する。例えば、セグメント同期信号１６１は、シンボル・インデックス１１９が仮想中心値１３６に一致する場合に「１」の値を有し、それ以外の場合に「０」の値を有する。あるいは、セグメント同期信号は、中心値から始まる、後続する４つのシンボル・インデックス値の間に「１」の値を有し、それ以外の場合に「０」の値を有し得る。
【００１３】
複素データ入力信号（同相成分及び直交成分）、シンボル毎２サンプル、又はフレーム同期ベースの設計への、図１に関して前述したシステムの拡張は、図１から容易に導き出される。
【００１４】
例えば、データ入力信号が複素の場合、セントロイド算出器（この場合、「複素セントロイド算出器」としても表す）は、図３に示すように入力データ信号の同相（Ｉ）成分及び直交（Ｑ）成分を別個に処理する。特に、入力データ信号の同相成分（１０１−１）は、セグメント同期検出器１０５−１、漏れ積分器１１０−１及び二乗器１１５−１によって処理される。一方、入力信号の直交成分（１０１−２）は、セグメント同期検出器１０５−２、漏れ積分器１１０−２及び二乗器１１５−２によって処理される。これらのエレメントのそれぞれは、図１で前述したものと同様に機能する。添付図面に示していないが、シンボル・インデックスは何れの二乗器エレメントからも生成することが可能である。各二乗器（１１５−１及び１１５−２）からの出力信号は、相関器信号１１６を供給するよう加算器１８０を介して一緒に加算され、処理の残りは、図１に関して前述したものと同様である。
【００１５】
シンボル毎２サンプルのセントロイド算出器に関し、Ｔ／２間隔を例証的に用いる（ここでＴはシンボル間隔に相当する）。例えば、セグメント同期検出器は、Ｔ／２の間隔のセグメント同期特性に一致した、Ｔ／２間隔の値を有し、漏れ積分器は２×８３２長であり、シンボル・インデックスは、０，１，２，…，８３１の代わりに０，０，１，１，２，２，…，８３１，８３１のパターンに従う。
【００１６】
最後に、フレーム同期信号に基づいたセントロイド算出器の場合、以下の点に留意すべきである。フレーム／フィールド同期信号は８３２個のシンボルから構成され、３１３個のセグメント毎に到着するので、これは、チャネルにおいて分布する如何なる実用的なマルチパスよりも長く、よって、何れかのマルチパス信号の位置を判定するうえでの問題は何ら存在しない。図１中のセグメント同期検出器ではなく非同期ＰＮ５１１相関器を用いてチャネル・インパルス応答を測定することができる（８３２個のフレーム同期シンボルのうち、ＰＮ５１１のみを用いた場合）。（ＰＮ５１１は、疑似乱数系列であり、前述のＡＴＳＣ標準に記載されている。）更なる処理は、処理が少なくとも１つのフィ―ルド全体の持続時間、行われる以外は、図１について前述したものと同様である。相関値をピーク・サーチ関数ブロックに送って、一フィールド時間にわたってピーク・サーチを行う。このピーク値のシンボル・インデックスはよって、初期仮想中心点として用いるものとする。初期中心点が判定されると、相関出力が所定の閾値を超えており、初期仮想中心点前後の特定の範囲内にある場合にのみ解析される。例えば、初期中心位置の周りに＋／−５００個のシンボルがあることによって、相関出力が所定の値を上回ることが位置付けられる。厳密な範囲は、現実の環境において直面することが見込まれる実用的なチャネル・インパルス応答長と、利用可能な等化器の長さとによって定められる。処理の残りは図１について前述したものと同じである。
【００１７】
次に本発明の概念に移れば、受信器は、同期化信号を供給する同期生成器を備え、同期生成器は少なくとも２つの動作モードを備え、第１の動作モードでは、同期生成器はチャネル仮想中心信号の関数として同期化信号を生成し、第２の動作モードでは、デュアルモード同期生成器は相関信号の関数として同期化信号を生成する。例証的な目的のみで、本発明の概念をＡＴＳＣセグメント同期信号の意味合いで説明する。しかし、本発明の概念は前述に限定されるものでない。
【００１８】
なお、本発明の概念を等化器とともに用いて受信器応答を高速化することができる。この考えは、多くのチャネル・インパルス応答の場合、相当する仮想中心位置が主信号、すなわち最大強度又はピークを備えた信号に比較的近いことに基づいている。しかし、仮想中心の算出は、復調器コンバージェンス後にのみ行うことが可能であり、等化器は、チャネル中心値が識別されてからのみ起動される。残念ながら、これによって受信器獲得時間が増加し得る。よって、かつ本発明の原理によれば、同期化信号の検出を表す相関信号を用いることによって、ピーク・サーチが行われると直ちにではあるが、チャネル仮想中心の判定前に等化器を受信器が起動させることが可能になる。このことは、仮想中心が主信号又はピークであることを前提とする。仮想中心の算出が完了すると、新たな仮想中心によって等化器を再起動させるか、又は元のピークによる処理に進むかを次いで判定することが可能である。この判定は、例えば、ピーク及び中心値の位置が閾値距離内にあるか否か、又は等化器コンバージェンスが既に行われたか否かに基づき得る。多くのチャネル・インパルス応答の場合、等化に対するこの早期開始は、コンバージェンス時間及び受信器獲得時間全体に対する節減を表すものである。利用可能になると仮想中心を用いるという判定が行われても、中心値の算出を待つという元のストラテジと比較したペナルティなしで等化器をリセットすることが可能である。
【００１９】
本発明の原理による例証的なテレビジョン受像機１０の概要レベル構成図を図４に示す。テレビジョン（ＴＶ）受像機１０は受信器１５及びディスプレイ２０を含む。例証的には、受信器１５はＡＴＳＣ互換受信器である。受信器１５は、ＮＴＳＣ（米国テレビジョン方式委員会）互換でもあり得る（すなわち、ＴＶ受像機１０がＮＴＳＣ放送又はＡＴＳＣ放送からのビデオ・コンテンツを表示することができるようにＮＴＳＣ動作モード及びＡＴＳＣ動作モードを有し得る）。本発明の概念の説明を簡単にするうえで、ＡＴＳＣ動作モードのみを本明細書において説明する。受信器１５は、例えば、その上でビデオ・コンテンツを視るためにディスプレイ２０に印加するＨＤＴＶ（高品位ＴＶ）ビデオ信号をそこから復元するよう処理するために放送信号１１を（例えば、アンテナ（図示せず）を介して）受信する。
【００２０】
本発明の原理によれば、受信器１５は、少なくとも２つの動作モードを有するデュアルモード同期生成器を含み、第１の動作モードでは、デュアルモード同期生成器は仮想中心信号の関数としてセグメント同期信号を生成し、第２の動作モードでは、デュアルモード同期生成器は相関信号の関数としてセグメント同期信号を生成する。受信器１５の適切な部分の例証的な構成図を図５に示す。（なお、本発明の概念に適切でない受信器１５の他の処理ブロック、例えば、信号２７４を供給するＲＦフロントエンド、は本明細書に示していない。）復調器２７５は、ＩＦ周波数（ＦＩＦ）を中心とし、６ＭＨｚ（百万ヘルツ）に等しい帯域幅を有する信号２７４を受信する。復調器２７５は、復調された受信ＡＴＳＣ−ＤＴＶ信号２０１をセントロイド算出器２００に供給する。セントロイド算出器２００は、図１のセントロイド算出器１００と同様であり、仮想中心値１３６、シンボル・インデックス１１９及びピーク信号１２１を供給する。なお、ピーク信号１２１は、相関データを伝える信号、すなわち相関信号を表す。しかし、他の信号、例えば、図１の信号１１６等を用いることが可能である。前述の信号に加えて、セントロイド算出器２００は、いくつかの更なる信号も供給する。まず、セントロイド算出器２００は算出フラグ信号２０２を供給し、算出フラグ信号は、セントロイド算出の完了の時点を識別する。例えば、算出フラグ信号２０２は、算出が完了すると「１」の値に設定し、先行して「０」に設定することができる。最後に、セントロイド算出器２００はピーク・フラグ信号２０４を供給し、ピーク・フラグ信号は、ピーク・サーチの完了の時点を識別する。例えば、ピーク・フラグ信号２０４は、ピーク・サーチ算出が完了すると「１」の値に設定し、先行して「０」に設定することができる。
【００２１】
セントロイド算出器２００は、前述の出力信号１３６、１２１、２０２及び２０４を判定装置２１０（以下に説明している）に供給する。本発明の原理によれば、受信装置２１０はセグメント参照信号２１２をセグメント同期生成器２６０に対して生成し、セグメント同期生成器２６０は図２の、前述のセグメント同期生成器１６０と同様である。特に、セグメント同期生成器２６０はセグメント参照信号２１２を判定装置２１０から受信し、シンボル・インデックス１１９をセントロイド算出器２００から受信し、セグメント同期信号２６１をそれに応じて供給する。例えば、セグメント同期信号２６１は、シンボル・インデックス１１９がセグメント参照信号２１２に一致する場合に「１」の値を有し、さもなければ「０」の値を有する。本発明の原理によれば、セグメント同期信号２６１は、仮想中心値１３６の関数又はピーク信号１２１の関数として生成される。
【００２２】
もう一度判定装置２１０に戻れば、この装置は、仮想中心値１３６、ピーク信号１２１、算出フラグ信号２０２及びピーク・フラグ信号２０４をセントロイド算出器２００から受信する。更に、判定装置２１０は又、２つの制御信号、閾値信号２０６及びモード信号２０２を（例えば、受信器１５のプロセッサ（図示せず）から）受信する。例証的には、３つの動作モードが存在するが、本発明の概念は、前述に限定されるものでない。第１の動作モードでは、例えば、モード信号２０７が「０」の値に等しくなるように設定され、相関信号のみを、セグメント同期信号の生成に用いる。第２の動作モードでは、例えば、モード信号２０７が「１」の値に等しくなるように設定され、仮想中心値のみを、セグメント同期信号の生成に用いる。最後に、第３の動作モードでは、例えば、モード信号２０７が「２」の値に等しくなるように設定され、相関信号又は仮想中心値を、セグメント同期信号の生成に用いる。最後に、判定装置２１０は、前述のセグメント参照信号２１２と、受信器１５の他の部分（図示せず）によって用いるステータス信号２１１とを供給する。
【００２３】
本発明の原理によれば、判定装置２１０は、図６の流れ図に示すようなセグメント参照信号２１２を供給する。なお、本発明の原理は、流れ図の意味合いで本明細書に記載しているが、他の表現、例えば、状態図も用いることが可能である。工程３０５では、判定装置２１０は、現行動作モ―ドをモード信号２０７から判定する。モード信号２０７が「０」の値を表す場合、判定装置２１０は、工程３２５で、セグメント参照信号２１２としてピーク信号１２１を供給する。一方、モード信号２０７が「１」の値を表す場合、判定装置２１０は、工程３２０で、セグメント参照信号２１２として仮想中心値１３６を供給する。最後に、モード信号２０７が「２」の値を表す場合、判定装置２１０は、工程３１０で、算出フラグ信号２０２を評価する。算出フラグ信号２０２の値が「０」に等しい場合、例えば、セントロイド算出器２００が仮想中心値の判定を未だ終えていない場合、判定装置２１０は、工程３２５で、セグメント参照信号２１２としてピーク信号１２１を供給する。しかし、算出フラグ信号２０２の値が「１」に等しくなると、判定装置２１０は、工程３１５で、相関値と、判定された仮想中心値との間の距離を評価する。｜ｐｅａｋ−ｃｅｎｔｅｒ  ｖａｌｕｅ｜≦ｔｈｒｅｓｈｏｌｄ（閾値信号２０６によって伝えられる）の場合、判定装置２１０は、工程３２５で、セグメント参照信号２１２としてピーク信号１２１を供給する。この場合、ピークは、仮想中心値からの閾値距離内にある。しかし、｜ｐｅａｋ−ｃｅｎｔｅｒ  ｖａｌｕｅ｜＞ｔｈｒｅｓｈｏｌｄの場合、判定装置２１０は、工程３２０で、セグメント参照信号２１２として仮想中心値１３６を供給する。この場合、ピークは、仮想中心値からの閾値距離よりも大きい。
【００２４】
前述の通り、判定装置２１０は、ステータス信号２１１も供給する。この信号は、セグメント参照がピークから得られるか仮想中心値から得られるかを受信器１５の他の部分（図示せず）に対して識別し、等化器（図示せず）のような後続受信器ブロックをリセットするのに用いることができる。例えば、等化器は、ステータス信号２１１が、「０」の値から「１」の値に移る都度、「０」の値から「２」の値に移る都度、「０」の値から「３」の値に移る都度及び「１」の値から「３」の値に移る都度、リセットすることが可能である。
【００２５】
本発明の原理によれば、判定装置２１０は、図７の流れ図に示すようにステータス信号２１１を供給する。図６に示す流れ図のように、判定装置２１０はまず、工程４０５で、動作モードを判定する。モード信号２０７が「０」の値を表す場合（ピーク信号１２１はセグメント参照信号２１２を生成するのに用いる）、判定装置２１０は、工程４１０で、ピーク・フラグ信号２０４を評価する。ピーク・フラグ信号２０４の値が「１」に等しい、すなわち、ピーク・サーチが完了している場合、判定装置２１０は、工程４１５で、ステータス信号２１１を「２」の値に設定する。しかし、ピーク・フラグ信号２０４の値が「０」に等しい場合、すなわち、ピーク・サーチが完了していない場合、判定装置２１０は、工程４３０で、ステータス信号２１１を「０」の値に設定する。一方、モード信号２０７が「１」の値を表す（仮想中心値１３６がセグメント参照信号２１２の生成に用いられる）場合、判定装置２１０は、工程４２０で、算出フラグ信号２０２を評価する。算出フラグ信号２０２の値が「１」に等しい（すなわち、算出が完了している）場合、工程４２５で、判定装置２１０はステータス信号２１１を「３」の値に設定する。しかし、算出フラグ信号２０２の値が「０」に等しい（すなわち、算出が完了していない）場合、判定装置２１０は、工程４３０で、ステータス信号２１１を「０」の値に設定する。最後に、モード信号２０７が「２」の値を表す（ピーク信号１２１又は仮想中心値１３６をセグメント同期信号の生成に用いる）場合、判定装置２１０は、工程４３５で、ピーク・フラグ信号２０４を評価する。ピーク・フラグ信号２０４の値が「０」に等しい（すなわち、ピーク・サーチが完了していない）場合、判定装置２１０は、工程４４０で、スタータス信号２１１を「０」の値に設定する。しかし、ピーク・フラグ信号２０４の値が「１」に等しい（すなわち、ピーク・サーチが完了している）場合、判定装置２１０は、工程４４５で、算出フラグ２０２を評価する。算出フラグ信号２０２の値が「０」に等しい（すなわち、算出が完了していない）場合、判定装置２１０は、工程４５０で、ステータス信号２１１を「１」の値に設定する。しかし、算出フラグ信号２０２の値が「１」に等しい場合、すなわち、算出が完了している場合、判定装置２１０は、工程４５５で、ピーク値と、判定された仮想中心値との間の距離を評価する。｜ｐｅａｋ−ｃｅｎｔｅｒ  ｖａｌｕｅ｜≦ｔｈｒｅｓｈｏｌｄ（閾値信号２０６によって伝えられる）の場合、判定装置２１０は、工程４６０で、ステータス信号２１１を「２」の値に設定する。しかし、｜ｐｅａｋ−ｃｅｎｔｅｒ  ｖａｌｕｅ｜＞ｔｈｒｅｓｈｏｌｄの場合、判定装置２１０はステータス信号２１１を、工程４２５で、「３」の値に設定する。
【００２６】
次に図８に移れば、本発明の原理による別の例証的な実施例を示す。図８に示す実施例は、判定装置２１０が更なる２つの入力信号を受け入れる以外は図５に示すものと同様である。第１の入力信号はロック信号２０９である。ロック信号は、例えば、受信器１５の等化器のステータスと、等化器がロックされているか否かを伝える。ロック信号２０９は等化器から来るものか、別の受信器ブロックから来るものか、又は、プロセッサによって制御されるプログラム可能なビット・レジスタから来るものであり得る（何れも図８に示していない）。他方の入力信号はΔＴ２０８である。この値は、期間（以下に説明する）が生起すること、又は過ぎることを表す。例証的には、ΔＴ２０８は、受信器１５のプロセッサ（図示せず）によって制御されるプログラム可能レジスタから供給され、時間間隔ΔＴ≧０を表す。
【００２７】
この実施例では、判定装置２１０が、図９の流れ図に示すようにセグメント参照信号２１２を供給する。この流れ図は、図６に示す流れ図と同様なものである。図９の工程３０５では、判定装置２１０は現行動作モードをモード信号２０７から判定する。モード信号２０７が「０」の値を表す場合、判定装置２１０は、工程３２５で、セグメント参照信号２１２としてピーク信号１２１を供給する。一方、モード信号２０７が「１」の値を表す場合、判定装置２１０は、工程３２０で、セグメント参照信号２１２として仮想中心値１３６を供給する。最後に、モード信号２０７が「２」の値を表す場合、判定装置２１０は、工程３１０で、算出フラグ信号２０２を評価する。算出フラグ信号２０２の値が「０」である（例えば、セントロイド算出器２００が仮想中心値の判定を未だ終えていない）場合、判定装置２１０は、工程３２５で、セグメント参照信号２１２としてピーク信号１２１を供給する。しかし、算出フラグ信号２０２の値が「１」に移る（「１」への移行は、図９中の記号「→１」によって表す）と（すなわち、算出がもう完了している場合）、判定装置２１０は、工程３１５で、相関値と、判定された仮想中心値との間の距離を判定する。｜ｐｅａｋ−ｃｅｎｔｅｒ  ｖａｌｕｅ｜≦ｔｈｒｅｓｈｏｌｄ（閾値信号２０６によって伝えられる）の場合、判定装置２１０は、工程３２５で、セグメント参照信号２１２としてピーク信号１２１を供給する。この場合、ピークは、仮想中心値からの閾値距離内にある。しかし、｜ｐｅａｋ−ｃｅｎｔｅｒ  ｖａｌｕｅ｜＞ｔｈｒｅｓｈｏｌｄの場合、判定装置２１０は、工程３３０で、ロック信号２０９を評価する。ロック信号２０９の値が「１」に等しく、ΔＴ２０８期間内に生起する（例えば、等化器が、この期間内であって、算出フラグ信号２０２が「１」に移るにつれ算出され始め得る期間内にロックされている）場合、判定装置２１０は、工程３２５で、セグメント参照信号２１２としてピーク信号１２１を供給する。しかし、ロック信号２０９の値が「０」に等しく、ΔＴ２０８期間内に生起する（等化器がこの期間内にまだロックされていない）場合、判定装置２１０は、工程３２０で、セグメント参照信号２１２として仮想中心値１３６を供給する。
【００２８】
次に図１０を参照すれば、判定装置２１０は、図１０に示す流れ図に示すようなステータス信号２１１を供給する。この流れ図は、図７に示す流れ図と同様なものである。判定装置２１０はまず、工程４０５で、動作モードを判定する。モード信号２０７が「０」の値を表す場合（ピーク信号１２１はセグメント参照信号２１２を生成するのに用いる）、判定装置２１０は、工程４１０で、ピーク・フラグ信号２０４を評価する。ピーク・フラグ信号２０４の値が「１」に等しい、すなわち、ピーク・サーチが完了している場合、判定装置２１０は、工程４１５で、ステータス信号２１１を「２」の値に設定する。しかし、ピーク・フラグ信号２０４の値が「０」に等しい場合、すなわち、ピーク・サーチが完了していない場合、判定装置２１０は、工程４３０で、ステータス信号２１１を「０」の値に設定する。一方、モード信号２０７が「１」の値を表す（仮想中心値１３６がセグメント参照信号２１２の生成に用いられる）場合、判定装置２１０は、工程４２０で、算出フラグ信号２０２を評価する。算出フラグ信号２０２の値が「１」に等しい（すなわち、算出が完了している）場合、工程４２５で、判定装置２１０はステータス信号２１１を「３」の値に設定する。しかし、算出フラグ信号２０２の値が「０」に等しい（すなわち、算出が完了していない）場合、判定装置２１０は、工程４３０で、ステータス信号２１１を「０」の値に設定する。最後に、モード信号２０７が「２」の値を表す（ピーク信号１２１又は仮想中心値１３６をセグメント同期信号の生成に用いる）場合、判定装置は、工程４３５で、ピーク・フラグ信号２０４を評価する。ピーク・フラグ信号２０４の値が「０」に等しい（すなわち、ピーク・サーチが完了していない）場合、判定装置２１０は、工程４４０で、スタータス信号２１１を「０」の値に設定する。しかし、ピーク・フラグ信号２０４の値が「１」に等しい（すなわち、ピーク・サーチが完了している）場合、判定装置２１０は、工程４４５で、算出フラグ２０２を評価する。算出フラグ信号２０２の値が「０」に等しい（すなわち、算出が完了していない）場合、判定装置２１０は、工程４５０で、ステータス信号２１１を「１」の値に設定する。しかし、算出フラグ信号２０２の値が「１」に移ると（「１」への移行は図１０の記号「→１」によって表される）、すなわち、算出が完了している場合、判定装置２１０は、工程４５５で、ピーク値と、判定された仮想中心値との間の距離を評価する。｜ｐｅａｋ−ｃｅｎｔｅｒ  ｖａｌｕｅ｜≦ｔｈｒｅｓｈｏｌｄ（閾値信号２０６によって伝えられる）の場合、判定装置２１０は、工程４６０で、ステータス信号２１１を「２」の値に設定する。しかし、｜ｐｅａｋ−ｃｅｎｔｅｒ  ｖａｌｕｅ｜＞ｔｈｒｅｓｈｏｌｄの場合、判定装置２１０は工程４８５で、ロック信号２０９を評価する。ロック信号２０９の値が「１」に等しく、ΔＴ２０８期間内に生起する（例えば、等化器が、この期間内であって、算出フラグ信号２０２が「１」に移るにつれ、算出され始め得る期間内にロックされた）場合、判定装置２１０は、工程４６０で、ステータス信号２１１を「２」の値に設定する。しかし、ロック信号２０９の値が「０」に等しく、ΔＴ２０８期間内に生起する（等化器がこの期間内にまだロックされていない）場合、判定装置２１０は、工程４２５で、ステータス信号２１１を「３」の値に設定する。
【００２９】
次に図１１に移れば、本発明の原理による別の例証的な実施例を示す。図１１に示す実施例は、判定装置２１０が閾値信号２０６に依存していない以外は図８に示すものと同様である。
【００３０】
この実施例では、判定装置２１０は、図１２の流れ図に示すようなセグメント参照信号２１２を供給する。この流れ図は、図９に示す流れ図と同様なものである。図１２の工程３０５では、判定装置２１０は、現行動作モードをモード信号２０７から判定する。モード信号２０７が「０」の値を表す場合、判定装置２１０は、工程３２５で、セグメント参照信号２１２としてピーク信号１２１を供給する。一方、モード信号２０７が「１」の値を表す場合、判定装置２１０は、工程３２０で、セグメント参照信号２１２として仮想中心値１３６を供給する。最後に、モード信号２０７が「２」の値を表す場合、判定装置２１０は、工程３１０で、算出フラグ信号２０２を評価する。算出フラグ信号２０２の値が「０」に等しい、例えば、セントロイド算出器２００が仮想中心値の判定をまだ終えていない場合、判定装置２１０は、工程３２５で、セグメント参照信号２１２としてピーク信号１２１を供給する。しかし、算出フラグ信号２０２の値が「１」に移る（「１」への移行は、図１２中の記号「→１」によって表す）と（すなわち、算出はこの場合、完了している）、判定装置２１０は、工程３３０で、ロック信号２０９を評価する。ロック信号２０９の値が「１」に等しく、ΔＴ期間内に生起する（例えば、等化器がこの期間内であって、算出フラグ信号２０２が「１」に移るにつれ、算出され始め得る期間内にロックされている）場合、判定装置２１０は、工程３２５で、セグメント参照信号２１２としてピーク信号１２１を供給する。しかし、ロック信号２０９の値が「０」に等しく、ΔＴ２０８期間内に生起する（等化器がこの期間内にまだロックしていない）場合、判定装置２１０は、工程３２０で、セグメント参照信号２１２として仮想中心値１３６を供給する。
【００３１】
次に図１３を参照すれば、判定装置２１０は、図１３に示す流れ図に示すようなステータス信号２１１を供給する。この流れ図は、図１０に示す流れ図と同様なものである。判定装置２１０はまず、工程４０５で、動作モードを判定する。モード信号２０７が「０」の値を表す場合（ピーク信号１２１はセグメント参照信号２１２を生成するのに用いる）、判定装置２１０は、工程４１０で、ピーク・フラグ信号２０４を評価する。ピーク・フラグ信号２０４の値が「１」に等しい、すなわち、ピーク・サーチが完了している場合、判定装置２１０は、工程４１５で、ステータス信号２１１を「２」の値に設定する。しかし、ピーク・フラグ信号２０４の値が「０」に等しい場合、すなわち、ピーク・サーチが完了していない場合、判定装置２１０は、工程４３０で、ステータス信号２１１を「０」の値に設定する。一方、モード信号２０７が「１」の値を表す（仮想中心値１３６がセグメント参照信号２１２の生成に用いられる）場合、判定装置２１０は、工程４２０で、算出フラグ信号２０２を評価する。算出フラグ信号２０２の値が「１」に等しい（すなわち、算出が完了している）場合、工程４２５で、判定装置２１０はステータス信号２１１を「３」の値に設定する。しかし、算出フラグ信号２０２の値が「０」に等しい（すなわち、算出が完了していない）場合、判定装置２１０は、工程４３０で、ステータス信号２１１を「０」の値に設定する。最後に、モード信号２０７が「２」の値を表す（ピーク信号１２１又は仮想中心値１３６をセグメント同期信号の生成に用いる）場合、判定装置２１０は、工程４３５で、ピーク・フラグ信号２０４を評価する。ピーク・フラグ信号２０４の値が「０」に等しい（すなわち、ピーク・サーチが完了していない）場合、判定装置２１０は、工程４４０で、スタータス信号２１１を「０」の値に設定する。しかし、ピーク・フラグ信号２０４の値が「１」に等しい（すなわち、ピーク・サーチが完了している）場合、判定装置２１０は、工程４４５で、算出フラグ２０２を評価する。算出フラグ信号２０２の値が「０」に等しい（すなわち、算出が完了していない）場合、判定装置２１０は、工程４５０で、ステータス信号２１１を「１」の値に設定する。しかし、算出フラグ信号２０２の値が「１」に移ると（「１」への移行は図１３の記号「→１」によって表される）、すなわち、算出が完了している場合、判定装置２１０は、工程４８５で、ロック信号２０９を評価する。ロック信号２０９の値が「１」に等しく、ΔＴ２０８期間内に生起する（例えば、等化器が、この期間内であって、算出フラグ信号２０２が「１」に移るにつれ、算出され始め得る期間内にロックされた）場合、判定装置２１０は、工程４６０で、ステータス信号２１１を「２」の値に設定する。しかし、ロック信号２０９の値が「０」に等しく、ΔＴ２０８期間内に生起する（等化器がこの期間内にまだロックされていない）場合、判定装置２１０は、工程４２５で、ステータス信号２１１を「３」の値に設定する。
【００３２】
本発明の原理によって本明細書に記載した例証的な実施例は全て、何れかの同期信号に基づき得る。相関器は、選択する同期信号と入力データを比較する。ＡＴＳＣ−ＤＴＶの場合、特定の候補は、セグメント同期信号又はフレーム同期信号である。これらのタイプの同期信号の場合、違いは、相関器の選択と、同期信号のタイプ及びサイズに対応するうえでの積分器のサイズとにある。同様に、本発明の原理によって本明細書に記載した例証的な実施例は全て、何れかのディジタル通信システムの何れかのタイプの訓練信号に基づくものであり得る。この場合、相関器は、対象の訓練信号と入力データとを比較する。本発明の原理によって本明細書に記載した実施例の全てについて、仮想中心の算出は確かに信号の受信の始めに行われるが、処理は、最適仮想中心位置がチャネル状態に基づいて常に更新されるように続き得るものであり、仮想中心は、更新された仮想中心位置によって、サンプリング・クロック周波数を適宜、ゆるやかに変更することによってシフトさせることが可能である。同様な更新を、次いで、時間位相出力について行うべきである。
【００３３】
前述の通り、かつ、本発明の原理によれば、デュアルモード生成器によって、セグメント同期生成器及び／又はフレーム同期生成器が単にセグメント／フィールド同期相関器に基づくか、又はチャネル仮想中心値にも基づくことが可能になる。本発明の概念は、等化器とともに用いて、入力信号の大半に対する受信器応答を高速化することができる。本発明の概念は、線形歪みを受けるシステムの何れかの訓練信号に拡張することができる。
【００３４】
前述は本発明の原理を例証するものに過ぎない。よって、当業者は、本明細書に明示していないが、本発明の原理を実施し、その趣旨及び範囲内にある別の数多くの配置を考え出すことができるものである。例えば、別個の機能エレメントの意味合いで例証しているが、こうした機能エレメントは、１つ又は複数の集積回路（ＩＣ）上に実施することができる。同様に、別個のエレメントとして示しているが、そうしたエレメントの何れか又は全てを、関連したソフトウェア（例えば、図示した（例えば、図６の）１つ又は複数の工程に相当する）を実行するストアード・プログラム制御プロセッサ（例えば、ディジタル信号プロセッサ）において実施することができる。更に、ＴＶ受像機１０内に組み込まれたエレメントとして示しているが、その中のエレメントは、その何れかの組み合わせにおいて別々の装置に分散させることができる。例えば、図４の受信器１５は、装置又はボックス（装置から物理的に別個のセットトップ・ボックスなど）若しくはディスプレイ２０等を組み入れたボックスの一部であり得る。更に、地上波放送の意味合いで説明しているが、本発明の原理は、他のタイプの通信システム（例えば、衛星、ケーブル等）に適用可能である。よって、数多くの修正を例証的な実施例に行うことができ、特許請求の範囲記載の、本発明の趣旨及び範囲から逸脱することなく他の配置を考え出すことができるものとする。
【図面の簡単な説明】
【００３５】
【図１】セントロイド算出器を示す構成図である。
【図２】セグメント同期生成器を示す構成図である。
【図３】複素セントロイド算出器において用いる複素信号の処理を示す構成図である。
【図４】本発明の原理を実施する受信器の例証的な概略レベルの構成図である。
【図５】本発明の原理を実施する受信器の例証的な部分を示す図である。
【図６】本発明の原理による例証的な流れ図である。
【図７】本発明の原理による例証的な流れ図である。
【図８】本発明の原理による別の実施例を示す図である。
【図９】本発明の原理による例証的な流れ図である。
【図１０】本発明の原理による例証的な流れ図である。
【図１１】本発明の原理による別の実施例を示す図である。
【図１２】本発明の原理による例証的な流れ図である。
【図１３】本発明の原理による例証的な流れ図である。
【図１】
2007537676.tif 000003
【図２】
2007537676.tif 000004
【図３】
2007537676.tif 000005
【図４】
2007537676.tif 000006
【図５】
2007537676.tif 000007
【図６】
2007537676.tif 000008
【図７】
2007537676.tif 000009
【図８】
2007537676.tif 000010
【図９】
2007537676.tif 000011
【図１０】
2007537676.tif 000012
【図１１】
2007537676.tif 000013
【図１２】
2007537676.tif 000014
【図１３】
2007537676.tif 000015
【国際調査報告】
2007537676.tif 000016
2007537676.tif 000017
2007537676.tif 000018
2007537676.tif 000019
2007537676.tif 000020